(57)【要約】【課題】書籍に挟んでも、書籍を傷めない薄板状であり、しかも長期に亘り美麗な状態を保持でき、さらに書籍に挟んだ際に滑落し難い栞を提供する。【解決手段】少なくとも裏面に布目３を残した乾漆状の織布６の表面に、漆塗りを施してなる。  または、表裏両面のうち少なくもいずれか一方の面に布目３を残した乾漆状の織布６を、その布目を外側にして木製の薄板１１の裏面に貼り合せた後、当該薄板１１の表面に漆塗りを施す。  または、木製薄板１１の裏面に、和紙１３などの不織布を貼り合わせ、その貼り合わせた薄板１１の表裏両面に漆塗りを施してなる。【選択図】図４
2008284731.tif 000002
【特許請求の範囲】
【請求項１】
少なくとも裏面に布目を残した乾漆状の織布の表面に、漆塗りを施してなる栞。
【請求項２】
表裏両面のうち少なくもいずれか一方の面に布目を残した乾漆状の織布を、その布目を外側にして木製の薄板の裏面に貼り合せた後、当該薄板の表面に漆塗りを施してなる栞。
【請求項３】
木製薄板の裏面に不織布を貼り合わせ、その貼り合わせた薄板の表裏両面に漆塗りを施してなる栞。
【請求項４】
木製薄板の裏面に不織布を貼り合わせた後、所定寸法に切断し、切断した薄板の表裏両面に漆の下塗りを施し、さらに少なくともその表面に漆の上塗りを施すことを特徴とする栞の製造方法。
【請求項５】
前記下塗り後、裏面に粘稠剤を混ぜた漆を塗ることを特徴とする請求項４に記載の漆の製造方法。
【発明の詳細な説明】
【技術分野】
【０００１】
本発明は、漆塗りした栞とその製造方法に関する。
【背景技術】
【０００２】
栞には、紙、金属など各種素材で作製したものがある。紙製の栞は、破れたり、折れ曲がったりするので、長期に亘り使用することができない。金属製の栞は、破れたり、折れ曲がったりはしないが錆るおそれがある。
革製の栞は、破れたり、折れ曲がったりし難く、また錆びないが厚いので、頁数の多い書籍に挟んだ場合に、書籍が破損しやすい。
そこで本発明者は、布や、木製薄板を基材にして、漆塗りを施した。これにより、強度が増して折曲したり割れたりしにくくなり、また塗膜が強靱で美しく長持ちし、また塗りを施したものに防腐効果や抗菌効果が付与され、長期に亘り美麗な状態を保持できた。
しかし、漆塗りを施すことにより、表面につやが出て栞を本に挟んだときに、滑落してしまうおそれがある。また、木製の薄板に漆を塗ると薄板が反ってしまうという欠点がある。
【発明の開示】
【発明が解決しようとする課題】
【０００３】
そこで、本発明は、書籍に挟んでも、書籍を傷めない薄板状であり、しかも長期に亘り美麗な状態を保持でき、さらに書籍に挟んだ際に滑落し難い栞を提供することを目的とする。
【課題を解決するための手段】
【０００４】
上記目的を達成するために請求項１の発明の栞は、少なくとも裏面に布目を残した乾漆状の織布の表面に、漆塗りを施してなる。
請求項２の発明の栞は、表裏両面のうち少なくもいずれか一方の面に布目を残した乾漆状の織布を、その布目を外側にして木製の薄板の裏面に貼り合せた後、当該薄板の表面に漆塗りを施してなる。
請求項３の発明の栞は、木製薄板の裏面に不織布を貼り合わせ、その貼り合わせた薄板の表裏両面に漆塗りを施してなる。
請求項４の発明の製造方法は、木製薄板の裏面に不織布を貼り合わせた後、所定寸法に切断し、切断した薄板の表裏両面に漆の下塗りを施し、さらに少なくともその表面に漆の上塗りを施すことを特徴とする。
請求項５の発明の製造方法は、請求項４の発明の下塗り後、裏面に粘稠剤を混ぜた漆を塗ることを特徴とす。
【０００５】
織布、薄板の厚さは、本に挟むという使用形態より本が変形しない程度である必要があり、約０．１ミリ〜数ミリである。最適なものは栞の状態で０．３〜０．６ミリである。
また、乾漆状とは、織布に漆を染み込ませた後、乾燥させたものの意味である。
木製薄板の裏面に貼り合わせる不織布は、繊維を３次元構造に重ね合わせたものであり、この繊維には布に使用される合成繊維など他、植物性の繊維をも含み、よって狭義の不織布のみならず紙も含む。
粘稠剤は、豆腐、卵白等、しぼ漆の技法で使用する公知のものである。
【発明の効果】
【０００６】
本発明の栞は以下の効果を奏する。
裏面は、布目が現出する、しぼ漆塗りした面である、漆を下塗りした面であるのいずれかであるので、これが滑り止めとなり本に挟んだ際に滑落を防止する。また、表面には漆塗りの各種技法が施され美麗である。また、漆の持つ防腐効果、抗菌効果などにより、紙製の栞のような虫食いや汚損、金属製の栞のような錆などがなく、長期に亘り美麗な状態を保持できる。
また、織布及び木製薄板は、漆を染み込ませたり、塗ったりすることにより強度が増し、折曲や破損を防止できる。
さらに、出来上がった栞は、自然素材からなるので、焼却しても有害物質がほとんど発生しない。
【発明を実施するための最良の形態】
【０００７】
本発明の第１実施形態について図面を参照して説明する。
図１は乾漆状の織布の製造工程を示す図、図２は完成した栞の正面図、図３は背面図、図４は断面図である。
２は厚さ約０．３〜０．６ミリの織布であり、表裏面に布目３を有する。この織布２をガラス板４上に置き、織布２に漆５ａを染み込ませる。これを乾燥すると、布目３の残った乾漆状の織布６になる。この際に使用する漆５ａには、木粉、漆粉、砥の粉などの粉末を混ぜてもよい。
次に、乾漆状の織布６を所定の寸法に切断すると共に、紐挿通用孔７を穿設し、さらに必要に応じ透かし模様を施す。さらに、乾漆状の織布６の表面に漆を塗り重ね漆層９を形成する。
さらに、この漆層９の上に、従前からある模様付け、蒔絵、螺鈿などの漆塗りの技法を加えてもよい。
そして、紐挿通用孔７に装飾用の紐８を挿通し固定する。
【０００８】
上記の如く製造された栞１は、表面の漆層９が美麗であると共に、裏面に残る布目３が滑り止めとなり、書籍に挟んでも滑落し難い。
また、乾漆状の織布６を製造する際に、漆に砥の粉を混ぜると、折曲しにくくなり、表面の漆層９が破損しない。
【０００９】
次に本発明の第２実施形態について図面を参照して説明する。
図５は第２実施形態の栞の断面図である。
前記実施形態との違いは乾漆状の織布６を製造した後の工程であり、他は同じであるので、その説明を省略する。
前記実施形態と同様に製造した乾漆状の織布６を、漆を使用して木製の薄板１１に貼り合せて、厚さ約０．３〜０．６ミリの基材１２とする。木製の薄板１１と乾漆状の織布６の貼り合せは、漆や他の公知の接着剤を使用して行う。
次に、基材１２を所定の寸法に切断すると共に、紐挿通用孔７を穿設し、さらに必要に応じ透かし模様８を施す。さらに、木製の薄板１１に漆を塗り重ね漆層９を形成する。
さらに、この漆層９の上に、従前からある模様付け、蒔絵、螺鈿などの漆塗りの技法を加えてもよい。
そして、紐挿通用孔７に装飾用の紐８を挿通し固定する。
上記の如く製造された栞１は、木製の薄板１１が補強材としての役割をして、前記第１実施形態のものより丈夫である。
【００１０】
上記第１、第２実施形態で、織布２は、表面に凹凸を有する布地であって、漆塗りを施せるものであればよく、天然繊維、合成繊維のいずれであってもよい。ただし麻布は、乾漆用に永年使用してきたものであり、漆塗りしやすく、丈夫であるという利点がある。
【００１１】
次に本発明の第３実施形態について図面を参照して説明する。
図６は第３の実施形態の栞の基材の断面図である。
先ず、厚さ０．２〜０．３ミリ程度の木製の薄板１１の裏面に和紙１３を貼り合わせ、厚さ約０．３〜０．６ミリの基材１４とする。貼り合わせは、漆や他の公知の接着剤を使用して行う。
次に、基材１４を栞の大きさに切断し、紐挿通用孔７を穿設し、また必要に応じて模様を打ち抜くなどした後、漆で下塗りを施す。
通常一枚の木製の薄板に漆を塗った場合、板が反ってしまうが、和紙１３を貼り合わせることにより漆を塗っても反ることがない。
次に、表面側に漆を塗り重ねる。この際に、従前からある模様付け、蒔絵、螺鈿などの漆塗りの技法を加えてもよい。また、紐挿通用孔７に装飾用の紐８を挿通し固定する。
さらに、裏面側にしぼ漆の技法を使用し凹凸を形成する。すなわち、豆腐、卵白などの粘稠剤を加えた漆を塗り、乾燥して凹凸を形成する。
【００１２】
上記第３実施形態で、木製の薄板に貼り合わせるものを和紙１３にしているが、これに限るものではなく、厚さ０．２〜０．３ミリ程度の不織布であればよい。不織布に凹凸がある場合には、裏面側にしぼ漆の技法を使用し凹凸を形成しているが、これを行わなくてもよい。
また、漆の下塗りでも、滑り止め効果があるから、しぼ漆の技法を省略してもよい。ただし、しぼ漆の技法を使用し凹凸を形成したほうが、滑り止め効果が大であり、本に挟んだ際に滑落を防止できる。
【００１３】
また、上記第１〜３実施形態では、紐挿通用孔７を設けているが、本発明はこれに限るものではなく、紐挿通用孔７を設けなくともよい。
【図面の簡単な説明】
【００１４】
【図１】乾漆状の織布の製造工程を示す図である。
【図２】第１実施形態の栞の正面図である。
【図３】第１実施形態の栞の背面図である。
【図４】第１実施形態の栞の断面図である。
【図５】第２実施形態の栞の断面図である。
【図６】第３実施形態の基材の断面図である。
【符号の説明】
【００１５】
１    栞
２    織布
３    布目
６    乾漆状の織布
９    漆層
１１    薄板
【図１】
2008284731.tif 000003
【図２】
2008284731.tif 000004
【図３】
2008284731.tif 000005
【図４】
2008284731.tif 000006
【図５】
2008284731.tif 000007
【図６】
2008284731.tif 000008